(57)【要約】【課題】ガスタービン発電プラント等に供給される多湿気体を予冷する冷却器において、該多湿気体を冷却することによって発生した凝縮液を利用して該多湿気体と伝熱管内を流れる冷却媒体との伝熱効率を向上させ該多湿気体の冷却効果を向上させる。【解決手段】多湿気体ａの流路に配設された伝熱管群９ａ、９ｂ内に冷却媒体ｒを流して該多湿気体を冷却する熱交換器において、多湿気体ａが結露した液滴ｃ１を集めた凝縮液を伝熱管群９ａ、９ｂの他の部分１６に散布又は滴下して熱交換率を増大させる。【選択図】図３
2008249218.tif 000002
【特許請求の範囲】
【請求項１】
多湿気体の流路に配設された伝熱管群内に冷却媒体を流して該多湿気体を冷却する熱交換器において、
前記多湿気体が結露した液体を集めて前記伝熱管群の他の部分に散布又は滴下して熱交換率を増大させることを特徴とする多湿気体の冷却方法。
【請求項２】
多湿気体の流路に配置され内部に冷却媒体を流して該多湿気体を冷却する伝熱管群と、
該多湿気体が冷却されて生じた凝縮液を集める手段と、
集めた凝縮液を該伝熱管群の一部の領域に散布又は滴下して該凝縮液の液膜を形成する手段と、を備えたことを特徴とする多湿気体の冷却装置。
【請求項３】
多湿気体の流路に配置され内部に冷却媒体を流して該多湿気体を冷却する伝熱管群と、
冷却液を該伝熱管群の少なくとも一部の領域に散布又は滴下して該凝縮液の液膜を形成する手段と、を備えたことを特徴とする多湿気体の冷却装置。
【請求項４】
前記伝熱管群を多湿気体の流路に沿って並設するとともに、該伝熱管群内を流れる冷却媒体を該多湿気体の流れ方向と逆方向に流し、
前記液膜形成手段によって多湿気体流路の入口近傍に配置された伝熱管群の領域に前記液膜を形成するように構成したことを特徴とする請求項２又は３に記載の多湿気体の冷却装置。
【請求項５】
前記多湿気体流路と前記伝熱管群とで構成される熱交換領域を横方向に形成するとともに、該熱交換領域を迂回部を介して接続される上下熱交換領域に分割形成し、
該多湿気体流路の入口部を下部熱交換領域に設けるとともに、該伝熱管の冷却媒体入口を上部熱交換領域に設け、
該上下熱交換領域の間に該迂回部を除き該上下熱交換領域を仕切るとともに上部熱交換領域の凝縮液を受ける仕切り板を設け、
該仕切り板を傾斜させて該多湿気体流路入口部の上方に最下方に位置する散布又は滴下部を形成し、
該散布又は滴下部に凝縮液を散布又は滴下する多数の細孔を配設したことを特徴とする請求項４に記載の多湿気体の冷却装置。
【請求項６】
前記多湿気体流路と前記伝熱管群とで構成される熱交換領域を縦方向に形成し、
該多湿気体流路の出口部及び前記冷却媒体の入口部を該熱交換領域の下部に設け、
該熱交換領域に発生した凝縮液を受けて順々に下方に受け渡す複数のドレン受けからなり、凝縮液を最後に該多湿気体流路出口部の近傍に形成された熱交換領域の上方に設けたドレン受けに集めるドレン収集手段を備え、
該熱交換領域上方に設けた該ドレン受けに設けた多数の小孔から凝縮液を該熱交換領域に散布又は滴下して該熱交換領域の伝熱管表面に液膜を形成するように構成したことを特徴とする請求項４に記載の多湿気体の冷却装置。
【請求項７】
前記多湿気体流路と前記伝熱管群とで構成される熱交換領域を縦方向に形成するとともに、該熱交換領域を上部迂回部を介して接続される左右熱交換領域に分割形成し、
該多湿気体流路の入口部を該左右熱交換領域のどちらか一方の下部に設けるとともに、前記冷却媒体の入口部を該左右熱交換領域の他方の下部に設け、
該左右熱交換領域の間に設けられ上部迂回部を除き該左右熱交換領域を仕切る仕切り板と、
該左右熱交換領域に発生した凝縮液を受けて順々に受け渡す複数のドレン受けからなり凝縮液を最後に該多湿気体流路入口部の近傍に形成された熱交換領域の上方に設けたドレン受けに集めるドレン収集手段と、を備え、
該熱交換領域上方に設けた該ドレン受けに設けた多数の小孔から凝縮液を該熱交換領域に散布又は滴下して該熱交換領域の伝熱管表面に液膜を形成するように構成したことを特徴とする請求項６に記載の多湿気体の冷却装置。
【請求項８】
前記多湿気体と前記伝熱管群との熱交換領域を内部に形成する複数のケーシングを備え、
該複数のケーシングに形成された該多湿気体流路及び該冷却媒体流路を直列に接続するとともに、上流側多湿気体流路を形成するケーシングを下流側多湿気体流路を形成するケーシングの下方に配置し、
該上方に配置されたケーシング内の凝縮液を該下方に配置されたケーシングに送る凝縮液移送管を設け、
該凝縮液移送管によって移送された凝縮液を該下方に配置されたケーシングの伝熱管群に散布又は滴下して伝熱管表面に液膜を形成するように構成したことを特徴とする請求項６に記載の多湿気体の冷却装置。
【発明の詳細な説明】
【技術分野】
【０００１】
本発明は、発電プラントに供給される燃焼用又はガス化用の湿り空気等を予冷する多湿気体の冷却方法及び装置に関し、該多湿気体と伝熱管内を流れる冷却媒体との伝熱効率を向上させ熱交換率を改善したものである。
【背景技術】
【０００２】
ガスタービン発電プラント等では、圧縮器で圧縮した空気を燃料と混合してガス燃料とし、このガス燃料を燃焼器のライナ内に噴射させて燃焼させ、これにより高温燃焼ガスをガスタービンに供給して駆動力を得ている。そのため空気を含んだガス燃料ではタービンの出力効率を上げるためには、空気の比重量が大きい状態で吸気して使用することが好ましい。空気は低温ほど比重量が大きいため、ガスタービンに吸気される空気は低温であることが望ましい。
【０００３】
また石炭ガス化複合発電で石炭ガス化炉にガス化空気を供給するガス化空気製造設備では、ガスタービンの圧縮器で圧縮過程途中の空気から一部抽気した圧縮空気を用いてガス化空気を製造している。この場合も前記と同様の理由で該圧縮空気を冷却器で冷却して比重量を増大させることにより、空気供給の要する動力低減を図っている。例えば冷却媒体として３０℃の冷却水を冷却器に供給し、数百度（例えば２００℃前後）の圧縮空気を５０〜６０℃に冷却している。冷却器の出口で冷却水の温度は約４０℃に上昇する。
【０００４】
特許文献１（特開平１１−３６８８７号公報）には、ガスタービンの吸気通路に設置され、吸込み空気を熱交換によって冷却する多数の伝熱管群を備えた吸気冷却器が開示されている。特許文献１に開示された装置の一構成例を図１１により説明する。図１１において、吸気通路の最上流側である吸込み空気取入れ口０１に吸気冷却器０２が設置されており、その下流側にダンパ室０３、吸気フィルタ室０４、吸気ダクト０５が順次に接続され、冷却された空気がガスタービン０６の圧縮器０７の入口に導かれるようになっている。
【０００５】
吸気冷却器０２は、熱交換用の多数の伝熱管０８からなる伝熱管群０９を配置した構成とされており、伝熱管０８を流れる冷却媒体と伝熱管０８の外面に接触する吸込み空気０１０との間の熱交換によって吸気冷却が行なわれる。吸気冷却器０２の下方には、空気中の水分の凝縮によって生じたドレンを排出するためのドレン排出管０１１が設けられている。なおダンパ室０３内には複数の開閉可能なダンパ０１２が設けられ、タービン運転時と停止時とにおいて、空気流を変化させるようになっている。
【０００６】
また吸気フィルタ室０４には吸気フィルタ０１３が設けられ、吸込み空気中に含まれる粉塵を除去して清浄空気０１０ａとしてガスタービン０６の圧縮器０７の入口に供給する。伝熱管０８内を流れる冷却媒体は、図示しない冷凍サイクルを構成する冷凍機によって冷却される。伝熱管群０９のうち、上下配置の一群の伝熱管０８の下方に、ドレン水を受け止めるためのトレイ０２１が複数段下流側に向かって次第に低くなるドレン勾配を有して配置されている。
【０００７】
かかる構成により、吸込み空気０１０は吸気冷却器０２の内部に設置された伝熱管０８を通り抜け、吸込み空気０１０の冷却により伝熱管０８の表面には凝縮したドレン０１９が発生し、液滴となって下方へ流れ落ちてゆく。伝熱管０８の下方にはドレン回収用のトレイ０２１が設置されているので、伝熱管０８の外周面で発生したドレン０１９の液滴が回収される。そしてトレイ０２１の勾配により吸込み空気下流側へドレンが流れていき、トレイ０２１の下流端側からドレン液滴０１９ａとなって落下する。
【０００８】
この装置では、伝熱管０８で発生したドレン０１９を吸込み空気０１０の下流側に落下させ、ドレン０９を均一に吸込み空気０１０に接触させることにより、粉塵の捕集効率を向上させ、吸気フィルタ０１３の補助的防塵効果を有効に行なわせ、該吸気フィルタの長寿命化とコンパクト化を図っている。
【０００９】
また特許文献２（特開２０００−１６１０８１号公報）には、ガスタービンプラントの空気圧縮器の吸気ダクトに空気冷却器を設け、該空気冷却器の直上流側に散水部と、吸込み空気に含まれる不純物を吸着したドレンを回収再生して再び該散水部に供給するドレン回収再生処理部とを備え、これによって吸込み空気の冷却と清浄化を行なう装置が開示されている。
【００１０】
【特許文献１】特開平１１−３６８８７号公報
【特許文献２】特開２０００−１６１０８１号公報
【発明の開示】
【発明が解決しようとする課題】
【００１１】
特許文献１に開示された装置は、伝熱管表面に形成されたドレンを利用して吸込み空気に含まれる粉塵の捕集効率を向上させようとするもので、ドレンを伝熱管の熱伝達に利用しようとしたものではない。
また特許文献２は、吸気冷却器の吸込み空気の清浄化を目的としたものであり、吸気冷却器での熱伝達向上を目的としたものではない。
【００１２】
本発明は、かかる従来技術の課題に鑑み、発電プラントに供給される燃焼用又はガス化用の湿り空気等を予冷する多湿気体の冷却装置において、該多湿気体を冷却することによって発生した凝縮液を利用することによって該多湿気体と伝熱管内を流れる冷却媒体との伝熱効率を向上させ該多湿気体の冷却効果を向上させることを目的とする。
【課題を解決するための手段】
【００１３】
かかる目的を達成するため、第１の本発明の多湿気体の冷却方法は、
多湿気体の流路に配設された伝熱管群内に冷却媒体を流して該多湿気体を冷却する熱交換器において、
前記多湿気体が結露した液体を集めて前記伝熱管群の他の部分に散布又は滴下して熱交換率を増大させるものである。
【００１４】
第１の本発明の多湿気体の冷却装置は、
多湿気体の流路に配置され内部に冷却媒体を流して該多湿気体を冷却する伝熱管群と、
該多湿気体が冷却されて生じた凝縮液を集める手段と、
集めた凝縮液を該伝熱管群の一部の領域に散布又は滴下して該凝縮液の液膜を形成する手段と、を備えたものである。
【００１５】
第２の本発明の冷却装置は、
多湿気体の流路に配置され内部に冷却媒体を流して該多湿気体を冷却する伝熱管群と、
冷却液を該伝熱管群の少なくとも一部の領域に散布又は滴下して該冷却液の液膜を形成する手段と、を備えたことを備えたものである。
【００１６】
ガスタービン発電プラント等に設置される空気冷却器は、大気空気が冷却されるため、減温とともに空気中水分の凝縮が生じる。本発明者等は、石炭ガス化炉に供給されるガス化空気の製造設備に用いられる空気冷却器を想定し、熱伝達特性に及ぼす凝縮水の挙動の影響がより顕著となることが予想される高圧下の冷却管群で湿り空気冷却に関する実験を行った。この実験は、水平方向に配置し内部に冷却媒体を流した伝熱管群に向けて湿り空気の下降流を流した熱交換領域を形成し、湿り空気と冷却媒体との熱伝達状況を調べたものである。その結果図１及び図２示す実験結果を得た。
【００１７】
この実験は、圧力０．９ＭＰａの湿り空気（冷却器入口温度；６０〜１２０℃）を流量５００ｋｇ／ｈで該熱交換領域を流したものである。また伝熱管群を流れる冷却水の流量を（１４４〜２８８）×１０−３ｍ３／ｈ、入口温度を４０℃とした。図１中のｗｉｎは湿り空気の冷却器入口水蒸気濃度を示す。
【００１８】
図１は、凝縮水が最も多くなるｗｉｎ＝０．０５０、露点温度時の実験結果であり、伝熱管群の湿り空気流れ方向４区間ごとに冷却水温度上昇計測値より求められる熱交換量Ｑｃｉ（ｉ＝１〜４）と、各区間で実験と同じ入口条件を基に乾き空気熱伝達係数予測式と熱伝達のアナロジ成立を仮定して計算される熱交換量Ｑｃｉ，ａｎａｌｏｇｙとの比Ｑｃｉ／Ｑｃｉ，ａｎａｌｏｇｙを示したものである。図１から、凝縮水が多く存在する下方の伝熱管群ほどＱｃｉ／Ｑｃｉ，ａｎａｌｏｇｙは高い値となっている。
【００１９】
また図２は、伝熱管全体の熱交換量Ｑｃに対し、図１と同様な評価を行なった結果を示す。横軸のｍｄは単位時間当たりの凝縮水量である。データに多少のバラツキがあるものの、ｍｄの増加に伴いＱｃ／Ｑｃ，ａｎａｌｏｇｙは増加傾向にある。凝縮水量の増加により、伝熱管表面の波立ちによる熱伝達促進と熱伝達面積の実質的増加の影響が大きかったことを意味するものと考えられる。
【００２０】
前記知見に基づき、本発明方法及び第１の本発明装置においては、多湿気体と伝熱管群との熱交換領域において多湿気体が冷却されて生じた凝縮液を集めて伝熱管群の一部の領域に散布又は滴下することにより、また第２の本発明装置においては、冷却液を伝熱管群の一部又は全部の領域に散布又は滴下することにより、冷却液の液滴の表面と多湿気体とが接触して熱交換する正味伝熱面積を増加させ、これによって熱伝達効果を向上させる。
また本発明方法及び第１又は第２の本発明装置においては、散布又は滴下した凝縮液又は冷却液によって伝熱管の表面に液膜を形成することによって熱伝達効果を向上させるようにしている。
【００２１】
本発明方法及び第１の本発明装置において、生じた凝縮液を集めて伝熱管群の一部の領域に散布又は滴下する場合、凝縮液はその過程で露点温度より冷えて過冷却ドレンとなっており、この過冷却ドレンの液膜を伝熱管に形成するため、該過冷却ドレンの顕熱熱交換により該過冷却ドレンに接する多湿気体を冷却できる。その後過冷却ドレンは多湿気体の熱を吸収して露点温度まで上昇して蒸発し、蒸発潜熱を多湿気体から奪う。この潜熱熱交換により、多湿気体をさらに冷却することができる。
【００２２】
このように凝縮液の液膜表面とこれに接する多湿気体との間で顕熱熱交換と潜熱熱交換とが行なわれるため、伝熱管の表面に液膜を形成しない場合と比べて多湿気体の冷却効果を増大することができる。このことは第２の本発明装置で冷却液を伝熱管群に散布又は滴下して伝熱管表面に該冷却液の液膜を形成する場合も同様である。第２の本発明装置では熱交換領域で発生した凝縮液の代わりに外部供給源から冷却液を供給できる。従って凝縮液のように冷却液の供給量や温度に制約を受けない。そのため該冷却液の供給量又は温度を調節することにより、多湿気体との熱交換量を調整して所望の冷却効果を得ることができる。
【００２３】
また伝熱管表面に形成された液膜の膜厚に応じて、あるいは該液膜の周囲に形成される多湿気体の乱流等によって該液膜の表面に波が形成される。この波の形成によって該液膜の正味伝熱面積が増加し、該液膜による多湿気体の冷却効果をさらに増大できる。
【００２４】
第１の本発明装置又は第２の本発明装置において、好ましくは、伝熱管群を多湿気体流路に沿って並設するとともに、該伝熱管群内を流れる冷却媒体を多湿気体の流れ方向と逆方向に流すように構成するとよい。これによって全熱交換領域で多湿気体と冷却媒体との温度差を確保できるため、全体として熱交換量を最大にすることができる。
【００２５】
そして凝縮液又は冷却液による液膜を多湿気体流路の入口近傍に配置された伝熱管群領域に形成するとよい。該液膜と多湿気体間の熱伝達効果は、該液膜を多湿気体流路の入口近傍に配置された伝熱管に形成する場合に著しい。多湿気体流路の入口近傍では高温で相対湿度の低い多湿気体が流れるので、多湿気体と液膜との温度差が大きく、両者間の熱交換が促進される。
【００２６】
第１の本発明装置において、伝熱管群を多湿気体流路に沿って並設するとともに、該伝熱管群内を流れる冷却媒体を該多湿気体の流れ方向と逆方向に流し、多湿気体流路と伝熱管群とで構成される熱交換領域を横方向に形成するとともに、該熱交換領域を迂回部を介して接続される上下熱交換領域に分割形成し、該多湿気体流路の入口部を下部熱交換領域に設けるとともに、該冷却媒体入口を上部熱交換領域に設け、該上下熱交換領域の間に該迂回部を除き該上下熱交換領域を仕切るとともに上部熱交換領域の凝縮液を受ける仕切り板を設け、該仕切り板を傾斜させて該多湿気体入口部の上方に最下方に位置する散布又は滴下部を形成し、該散布部に凝縮液を散布又は滴下する多数の細孔を配設した構成とすることができる。
【００２７】
かかる構成において、上部熱交換領域で発生した凝縮液を前記仕切り板で受け、該仕切り板で受けた凝縮液を前記散布又は滴下部に集める。該散布又は滴下部に集めた凝縮液を前記細孔を通し重力を利用して下方に散布することにより、下部熱交換領域の多湿気体入口部近傍に位置する伝熱管群に容易に散布できる。このように上下熱交換領域間に細孔を有する仕切り板を設けるという簡単な構成で、多湿気体入口部近傍の高温でかつ相対湿度の低い多湿気体が流れる伝熱管群に凝縮液の液膜を形成できる。また前述のように該液膜の形成により多湿気体の冷却効果を向上させることができる。
【００２８】
また第１の本発明装置において、伝熱管群を多湿気体流路に沿って並設するとともに、該伝熱管群内を流れる冷却媒体を多湿気体の流れ方向と逆方向に流し、該多湿気体流路と該伝熱管群とで構成される熱交換領域を縦方向に形成し、該多湿気体流路の出口部及び冷却媒体の入口部を該熱交換領域の下部に設け、該熱交換領域に発生した凝縮液を受けて順々に下方に受け渡す複数のドレン受けからなり、凝縮液を最後に該多湿気体流路出口部の近傍に形成された熱交換領域の上方に設けたドレン受けに集めるドレン収集手段を備え、
該熱交換領域上方に設けた該ドレン受けに設けた多数の小孔から凝縮液を該熱交換領域に散布又は滴下して該熱交換領域の伝熱管表面に液膜を形成するように構成としてもよい。
【００２９】
かかる構成において、縦型の熱交換領域を形成し、熱交換領域で発生した凝縮液を前記ドレン収集手段により重力を利用して多湿気体流路出口部の近傍に形成された熱交換領域の上方に設けたドレン受けに集める。次に該ドレン受けに集めた凝縮液を該熱交換領域に散布する。従ってドレン受けだけの簡単な構成で凝縮液を該熱交換領域に集めることができる。
【００３０】
また該熱交換領域の上方に設けたドレン受けに設けた多数の小孔から凝縮液を重力を利用して該熱交換領域の伝熱管群に散布又は滴下することにより、該伝熱管群の表面に容易に液膜を形成できる。なおこの構成において、多湿気体流路の入口部を熱交換領域の上部に設け、多湿気体の出口部を熱交換領域の下部に設け、入口部から出口部に向けて下降流を形成させることにより、入口部から出口部に向けて徐々に冷却されて容積が縮小し重くなる多湿気体の流れを重力の作用で促進し、滞留させないようにすることができる。
【００３１】
また第１の本発明装置において、伝熱管群を多湿気体流路に沿って並設するとともに、該伝熱管群内を流れる冷却媒体を多湿気体の流れ方向と逆方向に流し、多湿気体流路と伝熱管群とで構成される熱交換領域を縦方向に形成するとともに、該熱交換領域を上部迂回部を介して接続される左右熱交換領域に分割形成し、該多湿気体流路の入口部を該左右熱交換領域のどちらか一方の下部に設け、該左右熱交換領域の間に設けられ上部迂回部を除き該左右熱交換領域を仕切る仕切り板と、該左右熱交換領域に発生した凝縮液を受けて順々に受け渡す複数のドレン受けからなり最後に該多湿気体流路入口部の近傍に形成された熱交換領域の上方に設けたドレン受けに集めるドレン収集手段と、を備え、該熱交換領域上方に設けた該ドレン受けに設けた多数の小孔から凝縮液を該熱交換領域に散布又は滴下して該熱交換領域の伝熱管表面に液膜を形成するように構成してもよい。
【００３２】
かかる構成では、前記構成と同様に、縦型の熱交換領域を形成し、熱交換領域で発生した凝縮液を前記ドレン収集手段により重力を利用してドレン受けに集めるものである。この構成では、左右熱交換領域を形成するので、前記構成に比べて２倍の熱交換領域を形成できるので、熱交換率を向上できる。また該ドレン受けに集めた凝縮液を多湿気体が最も高温の流路入口部の近傍に形成された熱交換領域に散布又は滴下するので、多湿気体と伝熱管の表面に形成される液膜との温度差を大きく取ることができる。従って、熱交換量を増加できる。
【００３３】
また第１の本発明装置において、多湿気体と伝熱管との熱交換領域を内部に形成する複数のケーシングを備え、該複数のケーシングに形成された該多湿気体流路及び該冷却媒体流路を直列に接続するとともに、上流側多湿気体流路を形成するケーシングを下流側多湿気体流路を形成するケーシングの下方に配置し、該上方に配置されたケーシング内の凝縮液を該下方に配置されたケーシングに送る凝縮液送給管を設け、該送給管によって送給された凝縮液を該下方に配置されたケーシングの伝熱管に散布して伝熱管表面に液膜を形成するように構成してもよい。
【００３４】
かかる構成とすれば、多湿気体と伝熱管との熱交換領域を内部に形成する複数のケーシングを該ケーシングを上下に配置して組み合わせるだけで比較的容易に組み立てることができる。また上方に配置されたケーシング内の全熱交換領域で発生した大量の凝縮液を集めて下方に配置されたケーシングに供給できるので、広い領域の伝熱管群に凝縮液を散布でき、広い領域で液膜を形成できる。従って単一のケーシングを用いた空気冷却器と比べて多湿気体の冷却効果を格段に向上できる。
【発明の効果】
【００３５】
本発明方法又は第１の本発明装置によれば、多湿気体の冷却器において、多湿気体が冷却されて生じた凝縮液を集めて伝熱管群に散布又は滴下することにより、該伝熱管群の少なくとも一部の領域に凝縮液の液膜を形成するようにするため、散布される凝縮液と多湿気体との正味伝熱面積を増大でき、かつ該液膜形成による熱伝達効率の向上によって多湿気体の冷却効果を向上させることができる。
【００３６】
また第２の本発明装置によれば、伝熱管群に冷却液を散布又は滴下し、該伝熱管群の少なくとも一部の領域の伝熱管表面に該冷却液の液膜を形成することにより、散布又は滴下される冷却液と多湿気体との正味伝熱面積を増大でき、かつ該液膜形成による熱伝達効率の向上によって多湿気体の冷却効果を向上させることができる。また供給する冷却液の量又は温度に制約を受けないため、多湿気体の冷却温度を所望の温度に調整することができる。
【発明を実施するための最良の形態】
【００３７】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
（実施形態１）
【００３８】
次に本発明の第１実施形態を図３〜図５に基づいて説明する。図３はガスタービン発電プラント又は石炭ガス化複合発電プラントに設置される本実施形態の空気冷却器をケーシングの一部を断截して示す立面図、図４の（ａ）は、本発明の湿り空気冷却効果を示す模式図、（ｂ）は特許文献１の湿り空気冷却効果を示す模式図である。図５の（ａ）は本発明により伝熱管表面に液膜を形成した場合の模式図、（ｂ）は伝熱管に液膜を形成しない場合の模式図を示す。
【００３９】
図３において、本実施形態の空気冷却器１を構成するケーシング２の両端には左右ヘッダ３及び４が設けられる。左側ヘッダ３の上部には冷却水ｒの入口管５が設けられ、下部には出口管６が設けられる。左側ヘッダ３の内部には入口管５側と出口管６側とを仕切る仕切り７が設けられる。左右ヘッダ３及び４は水平方向に配置された多数の伝熱管８で接続される。伝熱管８は上部伝熱管群９ａと下部伝熱管群９ｂとに分けられ、仕切り兼トレイ１０で仕切られる。
【００４０】
かかる構成によって、冷却水ｒは、入口管５から左側ヘッダ３に導入され、上部伝熱管群９ａを経て右側ヘッダ４に入る。右側ヘッダ４に到達した冷却水ｒは、その後下部伝熱管群９ｂを通って左側ヘッダ３に達し、出口管６から排出される。
一方、被冷却対象である湿り空気ａは、ケーシング２の下部に配設された入口管１１から入り、仕切り兼トレイ１０に遮られて下部熱交換領域１３ｂを迂回する。その後迂回領域ｂを経て、上部熱交換領域１３ａに至り、出口管１２から外部に排出される。伝熱管８の内部を流れる冷却水ｒと湿り空気ａとは上部熱交換領域１３ａ及び下部熱交換領域１３ｂにおいて熱交換され、湿り空気ａが冷却される。
【００４１】
仕切り兼トレイ１０は、左側ヘッダ３側に向かって下方に傾斜して配置され、湿り空気ａの入口管１１の上部位置において最下方に位置し多数の細孔１５ａが分散配置された散水部１５が形成されている。湿り空気ａは上部熱交換領域１３ａ及び下部熱交換領域１３ｂで冷却水ｒと熱交換して冷却されるが、このとき湿り空気ａに含まれる水蒸気の露点温度以下となって凝縮水が生じ、該凝縮水は伝熱管８に付着し、多数の液滴ｃ１となって伝熱管８から下方に滴り落ちる。上部熱交換領域１３ａで滴り落ちた凝縮水の液滴ｃ１は、仕切り兼トレイ１０で受けられる。
【００４２】
仕切り兼トレイ１０で受けられた液滴ｃ１は矢印ｄ方向に移動し、最下方に配置された散水部１５に達する。そこで液滴ｃ１は細孔１５ａを通して下方に落下し、入口管１１上方の入口領域１６の伝熱管群に落下する。図４（ａ）に示すように、液滴ｃ１が落下する際に、多数の液滴ｃ１の表面に湿り空気ａが接触するため、正味伝熱面積が増大する。従って湿り空気ａの冷却効果が高まる。一方、図４（ｂ）に図示された特許文献１の落下した空気冷却器では、液滴ｃ１をトレイ０２１で受けて液滴ｃ１を集め、排水してしまう。従って液滴ｃ１と湿り空気ａとの伝熱面積が増大しないので、湿り空気ａの冷却効果は小さい。
【００４３】
その後液滴ｃ１は、図５（ａ）に示すように、伝熱管８の表面に付着して液膜ｃ２を形成する。入口領域１６は、高温かつ相対湿度が低い湿り空気ａが流れている。一方上部熱交換領域１３ａで生じた凝縮水は、仕切り兼トレイ１０で受け止められ、細孔１５を通って下方に落ちる間に冷却されて露点温度より低温の過冷却状態となっている。従って過冷却状態となった液膜ｃ２と該湿り空気ａとの間で顕熱熱交換が行なわれる。該顕熱熱交換で温度上昇した液膜ｃ２は露点温度に達した後で蒸発し、そのとき湿り空気ａから蒸発潜熱を奪う潜熱熱交換が行なわれる。
【００４４】
従って湿り空気ａと液膜ｃ２との間で該顕熱熱交換と潜熱熱交換とが連続して行なわれるため、熱伝達効率の良い熱交換が行なわれる。従って、図５（ｂ）に示す液膜ｃ２を形成しない従来の熱交換方式に比べて、伝熱管群の表面に液膜ｃ２を形成する本実施形態では、冷却水ｒと湿り空気ａとの熱交換量が多く、湿り空気の冷却効果を増すことができる。また凝縮水が入口領域１６の伝熱管８に形成した液膜ｃ２は、付近を流れる湿り空気流ａ１が生じる乱流ａ２等によって表面に波ｃ３を形成する。波ｃ３が形成されることによって、液膜ｃ２と湿り空気ａとの正味伝熱面積が増大し、熱伝達効率がさらに向上する。
（実施形態２）
【００４５】
次に本発明の第２実施形態を図６に基づいて説明する。図６の（ａ）は本実施形態をケーシングの一部を断裁して示す立面図、（ｂ）は仕切り板３４ａを図６（ａ）中のＡ−Ａ矢視方向から視た平面図である。図６において、ガスタービン発電プラント等に設置される空気冷却器２１のケーシング２２は垂直方向に立設されている。ケーシング２２の上下両端には下部ヘッダ２３及び上部ヘッダ２４が設けられている。下部ヘッダ２３には冷却水ｒの入口管２５が設けられ、上部ヘッダ２４には冷却水ｒの出口管２６が設けられている。
【００４６】
上下ヘッダ２３及び２４間には多数の伝熱管２８が並設されてなる伝熱管群２９が垂直方向に架設されている。かかる構成により冷却水ｒは入口管２５から下部ヘッダ２３内に導入され、伝熱管群２９を経て上部ヘッダ２４に達し、出口管２６から外部に排出される。
一方湿り空気ａは、ケーシング２２の上部に設けられた入口管３１から導入され、伝熱管群２９を包む流路を下降するその後湿り空気ａは、ケーシング２２の下部に設けられた出口管３２から外部に排出される。従って伝熱管２８の内部を流れる冷却水ｒと湿り空気ａとは熱交換領域３３で熱交換され、湿り空気ａが冷却される。
【００４７】
熱交換領域３３には、入口管３１から導入された湿り空気ａが熱交換領域３３で蛇行するように仕切り兼ドレン受け３４ａ〜ｆが配設される。熱交換領域３３のうち湿り空気ａの出口管３２の近傍に形成される出口領域３６の上方に仕切り兼ドレン受け３４ａが設けられる。図６（ｂ）に示すように、仕切り兼ドレン受け３４ａには伝熱管挿入孔３７に面して凝縮水散布用の小孔３７ａが設けられている。
【００４８】
かかる構成において、湿り空気ａが熱交換領域３３で伝熱管２８内を流れる冷却水ｒと熱交換して冷却される。湿り空気ａは水蒸気を含むため、冷却されて露点温度以下になると、凝縮水を生じる。生じた凝縮水は伝熱管２８の表面に付着し、液滴ｃ１となって落下する。落下した液滴ｃ１は各仕切り兼ドレン受けに受け止められる。このうち仕切り兼ドレン受け３４ｂ〜ｄは、開口３５に向かって傾斜して配置されているので、これら仕切り兼ドレン受けに受け止められた凝縮水ｃは開口３５から下方に落下する。そして凝縮水ｃは上方から下方に向かって配置された仕切り兼ドレン受けに順々に受け渡され、最後に水平に配置された仕切り兼ドレン受け３４ａの上面に溜まる。
【００４９】
図６（ｂ）に示すように、仕切り兼ドレン受け３４ａには伝熱管挿入孔３７に面して凝縮水散布用の小孔３７ａが穿設されているので、仕切り兼ドレン受け３４ａの上面に溜まった凝縮水ｃは該小孔３７ａから伝熱管２８の表面を伝って下方に流下する。このとき図５（ａ）に示すように、伝熱管２８の表面で凝縮水の液膜ｃ２を形成する。熱交換領域３３で生じた凝縮水ｃは、各仕切り兼ドレン受け３４で受け止められ、小孔３７ａを通って出口領域３６に達する間に冷却されて過冷却状態となっている。
【００５０】
従って過冷却状態となった液膜ｃと該湿り空気ａとの間では、前記第１実施形態と同様に、顕熱熱交換と潜熱熱交換が連続して行なわれ、熱伝達効率の良い熱交換が行なわれる。従って図５（ｂ）に示す液膜ｃ２を形成しない従来の熱交換方式に比べて、熱交換量が多く、湿り空気の冷却効果を増すことができる。また液膜ｃ２は、付近を流れる湿り空気流ａ１が生じる乱流ａ２等によって表面に波ｃ３を形成する。該波ｃ３が形成されることによって、液膜ｃ２と湿り空気ａとの接触面積が増えるので、正味伝熱面積が増大し、熱伝達効率がさらに向上する。
（実施形態３）
【００５１】
次に本発明の第３実施形態を図７に基づいて説明する。図７の（ａ）は本実施形態をケーシングの一部を断裁して示す立面図、（ｂ）は仕切り板３４ａを図７（ａ）中のＢ−Ｂ矢視方向から視た平面図である。図７において、ガスタービン発電プラント等に設置される空気冷却器４１のケーシング４２は垂直方向に立設されている。ケーシング４２の上下両端には下部ヘッダ４３及び上部ヘッダ４４が設けられる。下部ヘッダ４３には左右に冷却水ｒの入口管４５及び出口管４６が設けられ、下部ヘッダ４３の内部には入口管４５側と出口管４６側を仕切る仕切り４７が設けられる。
【００５２】
下部ヘッダ４３及び上部ヘッダ４４間には多数の伝熱管４８が垂直方向に架設されている。伝熱管４８は、中央に立設された仕切り５０によって左伝熱管群４９ａと右伝熱管群４９ｂに分けられる。かかる構成により冷却水ｒは入口管４５から下部ヘッダ４３内に導入され、左伝熱管群４９ａを経て上部ヘッダ４４に達する。その後冷却水ｒは、右伝熱管群４９ｂ内を流下して下部ヘッダ４３に達し、出口管４６から外部に排出される。
【００５３】
一方、湿り空気ａは、ケーシング４２の下部に設けられた入口管５１から導入され、仕切り５０に遮られて右伝熱管群４９ｂに沿って上昇する。その後湿り空気ａは迂回領域ｂで迂回し、左伝熱管群４９ａに沿って下降し、出口管５２から外部に排出される。従って伝熱管４８の内部を流れる冷却水ｒと湿り空気ａとは右熱交換領域５３ｂ及び左熱交換領域５３ａを形成し、これら領域において熱交換され、湿り空気ａが冷却される。
【００５４】
右熱交換領域５３ｂ及び左熱交換領域５３ａには、入口管５１から導入された湿り空気ａがこれら領域で蛇行するように仕切り兼ドレン受け５４ａ〜ｆが配設される。右熱交換領域５３ｂのうち入口管５１の近傍に形成される入口領域５６の上方に仕切り兼ドレン受け５４ａが設けられる。図７（ｂ）に示すように、仕切り兼ドレン受け５４ａには伝熱管挿入孔５７に面して凝縮水散布用の小孔５７ａが設けられる。
【００５５】
かかる構成において、湿り空気ａが右熱交換領域５３ｂ及び左熱交換領域５３ａで伝熱管４８内を流れる冷却水ｒと熱交換して冷却される。湿り空気ａは水蒸気を含むため、冷却されて露点温度以下になると、凝縮水を生じる。生じた凝縮水は伝熱管４８の表面に付着し、液滴ｃ１となって落下する。落下した液滴ｃ１は各仕切り兼ドレン受けに受け止められる。
【００５６】
このうち仕切り兼ドレン受け５４ｂ〜５４ｅは、開口５５に向かって傾斜して配置されているので、これら仕切り兼ドレン受けに受け止められた凝縮水ｃは開口５５から下方に落下する。そして凝縮水ｃは上方から下方に向かって配置された仕切り兼ドレン受けに順々に受け渡され、最後に仕切り兼ドレン受け５４ａの上面に溜まる。なお仕切り５０が仕切り兼ドレン受け５４ｂ及び５４ｄと接続される部分には凝縮液ｃを通すための図示しない開孔が設けられている。
【００５７】
図７（ｂ）に示すように、仕切り兼ドレン受け５４ａには伝熱管挿入孔５７に面して凝縮水散布用の小孔５７ａが穿設されているので、仕切り兼ドレン受け５４ａの上面に溜まった凝縮水ｃは該小孔５７ａから伝熱管４８の表面を伝って下方に流下する。このとき図５（ａ）に示すように、伝熱管４８の表面で凝縮水の液膜ｃ２を形成する。
入口領域５６には高温で相対湿度の低い湿り空気ａが導入されているのに対し、左右熱交換領域５３ａ及び５３ｂで生じた凝縮水は、各仕切り兼ドレン受け５４ａ〜ｅで受け止められ、小孔５７ａを通って入口領域５６に達する間に冷却されて過冷却状態となっている。
【００５８】
従って過冷却状態となった液膜ｃと該湿り空気ａとの間では、前記第１実施形態と同様に、顕熱熱交換と潜熱熱交換が連続して行なわれ、熱伝達効率の良い熱交換が行なわれる。従って図５（ｂ）に示す液膜ｃ２を形成しない従来の熱交換方式に比べて、熱交換量が多く、湿り空気の冷却効果を増すことができる。また液膜ｃ２は、付近を流れる湿り空気流ａ１が生じる乱流ａ２等によって表面に波ｃ３を形成する。該波ｃ３が形成されることによって、液膜ｃ２と湿り空気ａとの接触面積が増えるので、正味伝熱面積が増大し、熱伝達効率がさらに向上する。
（実施形態４）
【００５９】
次に本発明の第４実施形態を図８に基づいて説明する。図８は本実施形態をケーシングの一部を断截して示す立面図である。図８において、本実施形態の空気冷却器６１は、内部に湿り空気ａと冷却水ｒとの熱交換領域を有する２組のケーシング６２及び８２から構成されている。ケーシング６２及び８２は水平方向に配置され、ケーシング６２はケーシング８２の上方に位置する。
【００６０】
ケーシング６２は両端に左右ヘッダ６３及び６４を有する。該左右ヘッダ間に多数の伝熱管６８が水平方向に装架され、伝熱管６８の間には仕切りと凝縮水を受けるトレイとを兼用する仕切り兼トレイ７０が水平方向に設けられ、これによって伝熱管６８は上部伝熱管群６９ａと下部伝熱管群６９ｂとに分けられる。
【００６１】
冷却水ｒは、入口管６５から左側ヘッダ６３内に導入され、その後上部伝熱管群６９ａを経て右側ヘッダ６４に達する。その後冷却水ｒは下部伝熱管群６９ｂを経て左側ヘッダ６３に戻り、出口管６６から排出される。左側ヘッダ６３内には入口管６５側と出口管６６側を仕切る仕切り６７が設けられる。
ケーシング８２は両端に左右ヘッダ８３及び８４を有する。該左右ヘッダ間には多数の伝熱管８８が架設され、該伝熱管は仕切り板９０によって上部伝熱管群８９ａと下部伝熱管群８９ｂとに分けられる。右側ヘッダ８４の内部には冷却水ｒの入口管８５側と出口管８６側とを仕切る仕切り８７が設けられる。
【００６２】
ケーシング６２の出口管６６から出た冷却水ｒは、連絡管１０１を介して入口管８５に導入され、右側ヘッダ８４から上部伝熱管群８９ａ内を通り、左側ヘッダ８３に達する。その後冷却水ｒは下部伝熱管群８９ｂを通り、右側ヘッダ８４に達し、出口管８６から外部に排出される。
【００６３】
一方、湿り空気ａは、ケーシング８２の下部に設けられた入口管９１からケーシング８２内に導入され、下部伝熱管群８９ｂに沿って流れ、下部伝熱管群８９ｂと熱交換する。その後湿り空気ａは迂回領域ｂに達し、その後湿り空気ａはを囲む下部熱交換領域９３ｂを通り、下部伝熱管群８９ｂを流れる冷却水ｒと熱交換した後、迂回領域ｂに達する。その後湿り空気ａは、上部伝熱管群８９ａに沿って流れ、上部伝熱管群８９ａと熱交換する。こうして湿り空気ａは下部伝熱管群８９ｂを囲む下部熱交換領域９３ｂと、上部伝熱管群８９ａを囲む上部熱交換領域９３ａとを形成する。上部伝熱管群８９ａを経た湿り空気ａは、ケーシング８２の上部に設けられた出口管９２から排出される。
【００６４】
出口管９２から出た湿り空気ａは、連絡管１０２を通ってケーシング６２の下部に設けられた入口管７１からケーシング６２内に導入される。ケーシング６２内に導入された湿り空気ａは、下部伝熱管群６９ｂを囲む下部熱交換領域７３ｂを通って下部伝熱管群６９ｂを流れる冷却水ｒと熱交換する。その後湿り空気ａは、迂回領域ｂを経て上部伝熱管群６９ａを囲む上部熱交換領域７３ａに至り、そこで冷却水ｒと熱交換する。このように湿り空気ａは、ケーシング８２の上下熱交換領域８９ａ及び８９ｂとケーシング６２の上下熱交換領域６９ａ及び６９ｂで冷却水ｒと熱交換して冷却される。
【００６５】
湿り空気ａは、冷却水ｒに冷却され、露点温度以下になると凝縮水を生じる。ケーシング６２の上部熱交換領域７３ａで発生し凝縮水は、上部伝熱管群６９ａの表面に付着する。その後伝熱管表面から液滴ｃ１となって落下する。仕切り兼トレイ７０は、右側ヘッダ６４に向かって下方に傾斜しているので、仕切り兼トレイ７０で受け止められた凝縮水ｃは、右側ヘッダ６４側に向かって流れ、仕切り兼トレイ７０の先端から下方に流下する。そして排水口１０３から排出される。また下部伝熱管群６９ｂに付着し下部伝熱管群６９ｂからケーシング６２の底面に流下した凝縮水も排水口１０３に集まり、排水口１０３から排出される。
【００６６】
排水口１０３から出た凝縮水ｃは、連絡管１０４を経てケーシング１０２の上部に配設された入口管１０５からケーシング８２内に供給される。入口管１０５の下方には多数の小孔１０６ａが分散配置されたトレイ１０６が設けられている。従って、入口管１０５からケーシング８２内に導入された凝縮水ｃは、トレイ１０６の小孔１０６ａを通ってトレイ１０６の下方に配置された上下伝熱管群９３ａ及び９３ｂに散布される。
【００６７】
このようにケーシング６２内で生じた凝縮水ｃが集められてケーシング８２に移送される間に露点温度より低温に冷却されて過冷却状態となる。過冷却状態となった凝縮水をケーシング８２内の上下伝熱管群８９ａ及び８９ｂに散布して、図５（ａ）に示すように、伝熱管表面に凝縮水の液膜ｃ２を形成する。一方該凝縮水散布領域は、湿り空気ａが導入される入口管９１に近い領域であるので、該領域には未だ高温で相対湿度が低い湿り空気ａが流れている。
【００６８】
従って前記第１実施形態及び第２実施形態と同様に、該液膜ｃ２と湿り空気ａとの間で顕熱熱交換と潜熱熱交換とが連続して行なわれるため、熱伝達効率の良い熱交換が行なわれる。そのため湿り空気ａの冷却効果を向上させることができる。また伝熱管表面に形成された液膜ｃ２には、付近を流れる湿り空気流ａ１が生じる乱流ａ２等によって表面に波ｃ３を形成する。該波ｃ３が形成されることによって、正味伝熱面積が増大し、熱伝達効率がさらに向上する。
（実施形態５）
【００６９】
次に本発明の第５実施形態を図９に基づいて説明する。図９は本実施形態をケーシングの一部を断截して示す立面図である。図９において、空気冷却器１１１は横方向に配置されたケーシング１１２からなり、ケーシング１１２は両端に左右ヘッダ１１３及び１１４を有し、該左右ヘッダ間に多数の伝熱管１１７が並列に架設され、伝熱管群１１８を構成している。冷却水ｒは左側ヘッダ１１５の上部に設けられた入口管１１５から左側ヘッダ１１３に入る。その後冷却水ｒは伝熱管１１７内を通り右側ヘッダ１１４に達し、右側ヘッダ１１４の下部に設けられた出口管１１６から外部に排出される。
【００７０】
一方、湿り空気ａは、右側ヘッダ１１４近傍のケーシング上部に設けられた入口管１１９からケーシング１１２内に入り、伝熱管群１１８に沿って流れて左側ヘッダ１１５近傍のケーシング１１２上部に設けられた出口管１２０から外部に排出される。冷却水ｒと湿り空気ａとは伝熱管群１１８を囲む熱交換領域１２１で熱交換し、湿り空気ａが冷却される。またケーシング１１２の中央上部には散水用冷却水Ｒを導入する入口管１２２が設けられている。ケーシング１１２の内部には入口管１２１を囲むトレイ１２３が設けられている。トレイ１２３は伝熱管１１７の長手軸方向に延設された形状をなし、冷却水Ｒを伝熱管群１１８に散布するための細孔１２３ａが分散配置されている。
【００７１】
かかる構成において、入口管１２２から冷却水Ｒが導入され、冷却水Ｒはトレイ１２３の細孔１２３ａを通って伝熱管群１１８に散布される。伝熱管群１１８に散布された冷却水Ｒは、液滴ｒ１となって滴下し、図５（ａ）に示すように、各伝熱管１１７の表面に液膜ｃ２を形成する。
【００７２】
本実施形態によれば、冷却水Ｒを伝熱管１１７の長手軸方向に延設された形状のトレイ１２３を介して広範囲に散布することができる。しかも前記第１〜第４実施形態のように空気冷却器内で生じた凝縮水ではなく、別途設けられた供給源から冷却水を供給するので、冷却水量及び温度に制約がなく、適宜調整可能である。従って大量かつ低温の冷却水Ｒを導入して湿り空気ａの冷却能力を増大させることも可能である。また前記第１〜第4実施形態と同様に、伝熱管１１７の表面で液膜を形成して冷却水ｒと湿り空気ａとの熱伝達効率を向上できるとともに、液膜表面に波を形成して正味伝熱面積を増大させ、熱伝達効率をさらに向上させることができる。
【００７３】
図１０は、前記第５実施形態の変形例を示す一部断截立面図である。図１０において、本変形例の空気冷却器１１１’は、湿り空気ａの入口管１１９’を右側ヘッダ１１４に近いケーシング１１２の下部に設け、その上方位置のケーシング１１２の上部に散水用冷却水Ｒの入口管１２２’を設けている。また細孔１２３ａ’を有する散水用トレイ１２３’は、入口管１１９’上方の入口領域１２４に限定して配置されている。その他の構成は図９に示す前記第５実施形態と同一であり、同一の部位及び機器には第４実施形態と同一の符号を付している。それら同一部位及び機器の説明を省略する。
【００７４】
本変形例は、湿り空気入口管１１９’上方の入口領域１２４に限定して冷却水Ｒを散布するようにしている。入口領域１２４には高温でかつ相対湿度の低い湿り空気ａが流れるため、この領域に冷却水Ｒを散布すれば、冷却水Ｒと湿り空気ａとの熱伝達効率が向上し、湿り空気ａの冷却効果を向上できる。また冷却水Ｒの散布を入口領域１２４に限定しているので、冷却水量を節減できる。
【産業上の利用可能性】
【００７５】
本発明によれば、ガスタービン発電プラント又は石炭ガス化複合発電プラント等に設置される空気冷却器等において、多湿気体の冷却効果を複雑な工程を経ることなく、簡単な装置構成で向上させることができる。
【図面の簡単な説明】
【００７６】
【図１】冷却管の伝熱管群の熱交換量を示す線図である。
【図２】冷却管の凝縮水量と熱交換量との関係を示す線図である。
【図３】本発明の第１実施形態の一部断截立面図である。
【図４】（ａ）は本発明の湿り空気冷却効果を示す模式図、（ｂ）は特許文献１の湿り空気冷却効果を示す模式図である。
【図５】（ａ）は本発明により伝熱管表面に液膜を形成した場合の模式図、（ｂ）は伝熱管に液膜を形成しない場合の模式図である。
【図６】（ａ）は本発明の第２実施形態の一部断截立面図、（ｂ）は（ａ）中のＡ−Ａ矢視図である。
【図７】（ａ）は本発明の第３実施形態の一部断截立面図、（ｂ）は（ａ）中のＢ−Ｂ矢視図である。
【図８】本発明の第４実施形態の一部断截立面図である。
【図９】本発明の第５実施形態の一部断截立面図である。
【図１０】前記第５実施形態の変形例を示す一部断截立面図である。
【図１１】従来の空気冷却器の縦断立面図である。
【符号の説明】
【００７７】
１、２１、４１、６１、１１１、１１１’    空気冷却器
２、２２、４２、６２、８２、１１２    ケーシング
８、２８、４８、６８、８８、１１７    伝熱管
９ａ、６９ａ、８９ａ    上部伝熱管群
９ｂ、６９ｂ、８９ｂ    下部伝熱管群
１０、７０    仕切り兼トレイ
１１、３１、５１、９１、１１９、１１９’    湿り空気入口管
１３ａ、７３ａ、９３ａ    上部熱交換領域
１３ｂ、７３ｂ、９３ｂ    下部熱交換領域
１５    散水部
１５ａ、１０６ａ、１２３ａ、１２３ａ’    細孔
１６、５６、１２４    入口領域
４９ａ    左伝熱管群
４９ｂ    右伝熱管群
５０，９０      仕切り板
５３ａ    左熱交換領域
５３ｂ    右熱交換領域
３４ａ〜ｄ、５４ａ〜ｆ    仕切り兼ドレン受け
３５、５５    開口
３７ａ、５７ａ    小孔
１０４    連絡管（凝縮液移送管）
１０６、１２３、１２３’    トレイ
１１８    伝熱管群
１２１    熱交換領域
ａ    湿り空気
ｂ    迂回領域
ｃ    凝縮水
ｃ１    液滴
ｃ２    液膜
ｒ    冷却水
Ｒ    散布用冷却水
【図１】
2008249218.tif 000003
【図２】
2008249218.tif 000004
【図３】
2008249218.tif 000005
【図４】
2008249218.tif 000006
【図５】
2008249218.tif 000007
【図６】
2008249218.tif 000008
【図７】
2008249218.tif 000009
【図８】
2008249218.tif 000010
【図９】
2008249218.tif 000011
【図１０】
2008249218.tif 000012
【図１１】
2008249218.tif 000013